(57)【要約】【課題】照明装置から照射される光を利用して、ドアを効果的に演出することができるドアの照明構造、及びドアを提供する。【解決手段】ドア１の照明構造は、ドア１と、照明装置３とを備える。ドア１は、ドア表面１５において上下方向に延びた領域に亘り、かつドア幅方向において部分的に形成された凹凸模様１９を備える。照明装置３は天井４２に設けられ、凹凸模様１９に光を照射するように構成される。【選択図】図１
2018142523.tif 000002
【特許請求の範囲】
【請求項１】
ドアと、
照明装置とを備え、
前記ドアは、
ドア表面において上下方向に延びた領域に亘り、かつドア幅方向において部分的に形成された凹凸模様を備え、
前記照明装置は天井に設けられ、前記凹凸模様に光を照射するように構成されたことを特徴とするドアの照明構造。
【請求項２】
前記凹凸模様は、前記ドア幅方向に延びた突条と前記ドア幅方向に延びた凹溝とが上下方向に交互に形成された模様であることを特徴とする請求項１に記載のドアの照明構造。
【請求項３】
前記照明装置は、ダウンライトであって、前記ドアが閉じた状態において、前記ドア幅方向に見て前記ドア表面から水平方向に１００ｍｍ以上４００ｍｍ以下の距離だけ離れた位置から、鉛直下方に向けて光を照射するように構成されたことを特徴とする請求項２に記載のドアの照明構造。
【請求項４】
前記突条は、
前記突条の長手方向と直交する断面において先端が尖った頂部を備え、
前記凹凸模様は、
前記先端で構成された稜線を介して隣接する複数の前記凹溝を備え、
前記複数の凹溝の各々は、長手方向と直交する断面形状が弧状であることを特徴とする請求項２又は請求項３に記載のドアの照明構造。
【請求項５】
前記凹溝の溝幅が、５ｍｍ以上２０ｍｍ以下であり、
前記凹溝の溝深さが、０．１ｍｍ以上１．０ｍｍ以下であることを特徴とする請求項４に記載のドアの照明構造。
【請求項６】
前記凹溝の溝幅は、前記凹溝の長手方向において連続的に変化していることを特徴とする請求項２〜５のいずれか１項に記載のドアの照明構造。
【請求項７】
前記凹凸模様は、
木目が上下方向に沿った木目模様を備えたことを特徴とする請求項２〜６のいずれか１項に記載のドアの照明構造。
【請求項８】
前記凹凸模様は前記ドア表面の前記ドア幅方向の中間部において上下方向の全長に亘って形成されており、
前記ドア表面は、
前記ドア幅方向において前記凹凸模様の両側に位置し、前記凹凸模様に隣接した一対の平面部を備えたことを特徴とする請求項１〜７のいずれか１項に記載のドアの照明構造。
【請求項９】
前記ドアは床から前記天井にまで亘る高さを有し、前記ドアを介して隣接する室の天井面同士が一面となって連続していることを特徴とする請求項１〜８のいずれか１項に記載のドアの照明構造。
【請求項１０】
ドア表面において上下方向の全長に亘り、ドア幅方向の中間部に部分的に形成された凹凸模様を備え、
前記凹凸模様は、前記ドア幅方向に延びた凹溝と前記ドア幅方向に延びた突条とが上下方向に交互に形成された模様であり、
前記突条は、
前記突条の長手方向と直交する断面において先端が尖った頂部を備え、
前記凹凸模様は、
前記先端で構成された稜線を介して隣接する複数の前記凹溝を備え、
前記複数の凹溝の各々は、長手方向と直交する断面形状が弧状であり、かつ溝幅が前記凹溝の長手方向において連続的に変化していることを特徴とするドア。
【請求項１１】
前記ドア表面は、
前記ドア幅方向において前記凹凸模様の両側に位置し、前記凹凸模様に隣接した一対の平面部を備えたこと特徴とする請求項１０に記載のドア。
【請求項１２】
前記凹凸模様は、
木目が上下方向に沿った木目模様を備えたことを特徴とする請求項１０又は請求項１１に記載のドア。
【発明の詳細な説明】
【技術分野】
【０００１】
本発明は、ドアの照明構造、及びドアに関する。
【背景技術】
【０００２】
特許文献１には、ダウンライトを備えたドア設置構造が開示されている。この設置構造では、ドアに隣接する廊下の天井面にダウンライトが設置されている。
【先行技術文献】
【特許文献】
【０００３】
【特許文献１】特開２０１２−１３２２１０号公報
【発明の概要】
【発明が解決しようとする課題】
【０００４】
上述したドア設置構造では、ダウンライトによってドア近傍の足元が照明されるものの、ドア表面における陰影の変化がつきにくく、照明によるドアの演出効果が高くない。
【０００５】
本発明は前記事情に鑑みてなされたものであって、照明装置から照射される光を利用して、効果的にドアを演出することができるドアの照明構造、及びドアを提供することを目的とする。
【課題を解決するための手段】
【０００６】
前記目的を達成するために本発明に係る一態様のドアの照明構造は、ドアと、照明装置とを備える。前記ドアは、ドア表面において上下方向に延びた領域に亘り、かつドア幅方向において部分的に形成された凹凸模様を備える。前記照明装置は天井に設けられ、前記凹凸模様に光を照射するように構成される。
【０００７】
また、本発明に係る一態様のドアは、ドア表面において上下方向の全長に亘り、ドア幅方向の中間部に部分的に形成された凹凸模様を備える。前記凹凸模様は、前記ドア幅方向に延びた凹溝と前記ドア幅方向に延びた突条とが上下方向に交互に形成された模様である。前記突条は、前記突条の長手方向と直交する断面において先端が尖った頂部を備える。前記凹凸模様は、前記先端で構成された稜線を介して隣接する複数の前記凹溝を備える。前記複数の凹溝の各々は、長手方向と直交する断面形状が弧状であり、かつ溝幅が前記凹溝の長手方向において連続的に変化する。
【発明の効果】
【０００８】
本発明に係るドアの照明構造は、照明装置から照射される光を利用して、ドアを効果的に演出することができる。
【０００９】
また、本発明に係るドアは、天井に設けられた照明装置を利用して、効果的に演出することができる。
【図面の簡単な説明】
【００１０】
【図１】図１は本発明に係る一実施形態のドアの照明構造を示す断面図である。
【図２】図２は同上のドアの斜視図である。
【図３】図３は同上のドアの表面の拡大図である。
【図４】図４Ａは同上のドアの凹凸模様の縦断面図であり、図４Ｂは図４Ａに示す凹凸模様における反射光の明るさの変化を示したグラフである。
【図５】図５は、同上のドアの凹凸模様の拡大正面図である。
【図６】図６Ａは、比較例のドアの凹凸模様の縦断面図であり、図６Ｂは照明装置から光を照射したときにおいて、図６Ａに示す凹凸模様における反射光の明るさの変化を示したグラフである。
【図７】図７Ａ〜図７Ｃは、他例の凹凸模様を示した正面図である。
【発明を実施するための形態】
【００１１】
以下に示す実施形態は、ドアの照明構造及びドアに関し、詳しくは、天井に設けられた照明装置を用いてドアの照明を行うドアの照明構造、及びこの照明構造に適したドアに関する。
【００１２】
本実施形態のドア１の照明構造は、図１に示すように、ドア１と、照明装置３とを備えている。照明装置３は天井４２に設けられてドア１の表面１５に光を照射する。
【００１３】
（ドア）
本実施形態のドア１は、建物内に設けられる室内ドアであって、室４０，４１の出入口となる開口部４３を開閉する。なお、本実施形態において開口部４３を介して隣り合う室４０，４１の各々は、居室であるが、廊下等の非居室であってもよい。
【００１４】
本実施形態のドア１は、隣り合う室４０，４１を仕切る壁（図示せず）において床４５から天井４２に亘るように形成された開口部４３を開閉するドアであり、床４５から天井４２にまで亘る高さを有している。このため、ドア１が開いた状態における室４０，４１の開放感が増す。また、ドア１の上下端が壁の上下端にそれぞれ一致してドア１と室４０，４１との一体感が増す。また、ドア１は壁と略同じ上下長さを有するので、室４０，４１におけるドア１の存在感も増す。
【００１５】
本実施形態の照明構造において、ドア１（開口部４３）を介して隣接する室４０，４１は、天井面（天井４２の下面）同士が、一面となって連続している。また、ドア１（開口部４３）を介して隣接する室４０，４１は、床面（床４５の上面）同士も、一面となって連続している。このため、ドア１が開いた状態においては、隣接する室４０，４１が、連続した室のような外観となる。
【００１６】
本実施形態のドア１は、図２に示すように、ドア１の主体を構成するドア本体１０と、ドア本体１０に取り付けられた取手１１とを備えている。本実施形態のドア１は、開き戸であり、ドア本体１０は、隣り合う室４０，４１を仕切る壁に対して、戸尻側の端部が上下軸回り方向に回転可能に連結され、室４１（図１参照）側に開く。
【００１７】
（ドア本体）
ドア本体１０は上下方向に延びた矩形板状に形成されている。以下、ドア本体１０の板厚方向をドア厚み方向といい、ドア本体１０の幅方向（上下方向とドア厚み方向との両者に直交する方向）をドア幅方向という。
【００１８】
本実施形態のドア本体１０は、木製であって、ドア幅方向に並んだ一対の縦框１２，１３と、これら一対の縦框１２，１３の間に配置された装飾体１４とで構成されている。装飾体１４及び一対の縦框１２，１３の各々は、上下方向に延びた矩形板状に形成されている。
【００１９】
ドア本体１０におけるドア厚み方向の両側の面は、ドア１が閉じた状態において室４０，４１にそれぞれ露出するドア表面１５，１６を構成している。本実施形態におけるドア１は、ドア表面１５とドア表面１６とが同様の構成を有している。以下では両ドア表面１５，１６のうち、ドア１の開き方向とは反対側に臨むドア表面１５について説明し、他方のドア表面１６については説明を省略する。
【００２０】
本実施形態のドア表面１５は、ドア幅方向における両側の端部の各々が、縦框１２，１３の表面（厚み方向の一面）で構成されており、ドア幅方向における中間部が、装飾体１４の表面（厚み方向の一面）で構成されている。
【００２１】
一対の縦框１２，１３は、上下長さ、厚み、及び幅の各々が互いに同じである。ドア表面１５における各縦框１２，１３の表面は、鉛直で平坦な平面部１７，１８であって、ドア厚み方向において同じ位置に存在している。
【００２２】
装飾体１４の幅は、各縦框１２，１３の幅よりも小さい。装飾体１４は縦框１２，１３よりも厚みが小さく、装飾体１４の表面は、ドア厚み方向において、各縦框１２，１３の厚み方向の一面（平面部１７，１８）よりも内側に位置している。このため、ドア表面１５においては、装飾体１４の表面が各縦框１２，１３の平面部１７，１８よりもドア表面１６側に落ち込んでいる。
【００２３】
図３に示すように、装飾体１４の表面には、凹凸模様１９が形成されている。本実施形態の凹凸模様１９は、図２に示すように、上下方向に延びた装飾体１４の表面の全体に亘って形成されており、上下方向に延びている。すなわち、ドア１は、ドア表面１５において上下方向に延びた領域に亘って形成された凹凸模様１９を備えており、凹凸模様１９はドア表面１５の上下方向の全長に亘っている。
【００２４】
凹凸模様１９は、ドア表面１５において、ドア幅方向に部分的に形成されている。本実施形態の凹凸模様１９は、ドア表面１５のドア幅方向における中間部に位置しており、詳しくは、ドア幅方向における中央部に位置している。ここで、前記「中間部」とは、ドア幅方向の中央部と、ドア幅方向の中央部から片側に偏った部分とを含んだ領域である。
【００２５】
本実施形態の凹凸模様１９は、ドア１の幅（ドア本体１０のドア幅方向の寸法）の１／４以上１／３以下の幅を有している。
【００２６】
凹凸模様１９は、一対の縦框１２，１３の平面部１７，１８の間に位置しており、各縦框１２，１３の平面部１７，１８に隣接している。
【００２７】
本実施形態の凹凸模様１９は、図３及び図４Ａに示すように、ドア幅方向に延びた突条２０とドア幅方向に延びた凹溝２１とが、上下方向に交互に形成された模様であり、複数の突条２０と複数の凹溝２１とを備えている。
【００２８】
複数の突条２０及び複数の凹溝２１の各々は、装飾体１４の幅方向の全長に亘って形成されている。図４Ａに示すように、複数の突条２０の各々は、長手方向と直交する断面形状が山形であり、長手方向と直交する断面において先端が尖った頂部を備えている。
【００２９】
複数の凹溝２１にあっては、隣り合う凹溝２１同士が頂部の先端で構成された稜線２２を介して隣接している。本実施形態の各突条２０は、隣り合う凹溝２１の稜線２２を介して隣接する溝側面によって構成されている。
【００３０】
各凹溝２１は、長手方向と直交する断面形状が、ドア表面１６側に向かって窪んだ弧状に形成されており、溝幅方向における中央に近い部分ほど徐々に深くなっている。
【００３１】
各凹溝２１の溝幅ｂは、図３に示すように、凹溝２１の長手方向において連続的に変化している。また、この溝幅ｂの変化に伴って、各突条２０の稜線２２も、凹溝２１の長手方向において上下方向に波打つように湾曲している。
【００３２】
本実施形態の凹凸模様１９にあっては、溝幅ｂが長手方向の中間部において最も長くなる凹溝２１と、溝幅ｂが長手方向の両端部において最も長くなる凹溝２１とが上下方向において交互に形成されている。
【００３３】
図示は省略するが、本実施形態の各凹溝２１の溝深さｄ（図４Ａ）は、凹溝２１の長手方向において連続的に変化している。具体的に各凹溝２１は、溝幅ｂの大きな部位ほど溝深さｄが大きくなるように変化している。さらに、本実施形態の各凹溝２１は、凹凸模様１９の全体において、ランダムで有機的な凹凸の印象を与えるため、凹溝２１の溝幅ｂが同じであっても、溝深さｄが異なる部分を有している。
【００３４】
また、本実施形態の凹凸模様１９は、図５に示すように木目模様２３を備えている。なお、木目模様２３は、板目又は柾目のいずれであってもよい。本実施形態の木目模様２３は、装飾体１４の表面の全体に亘っており、すなわち、凹凸模様１９の全体に亘っている。
【００３５】
本実施形態の木目模様２３は、木目２４が上下方向に沿っている。このため、各突条２０の稜線２２は、木目模様２３の木目２４と略直交して目立ちやすい。従って、凹凸模様１９は、木目模様２３による木質の外観を備えつつ、凹凸形状による模様が際立って見えやすい。
【００３６】
（取手）
図１及び図２に示すように、ドア本体１０における戸先側の縦框１２には、取手１１が取り付けられている。本実施形態の取手１１は、レバー型ドアハンドルである。
【００３７】
（照明装置）
図１に示すように、室４０の天井４２には、照明装置３が設けられている。本実施形態の照明装置３は、開口部４３を介して隣接する室４０，４１のうち、ドア１の開き方向とは反対側に位置する室４０の天井４２に設置されている。
【００３８】
本実施形態の照明装置３は、ダウンライトであって、詳しくは、集光型ダウンライトである。本実施形態の照明装置３は天井４２に埋め込まれた状態で設置されている。照明装置３は、図示しない光源を備えている。光源は、例えば、発光ダイオード、白熱灯、蛍光灯、又は有機ＥＬ（Electro Luminescence）で構成される。
【００３９】
照明装置３は、光源から照射された光が、開口部４３を閉じたドア１の凹凸模様１９に照射されるように天井４２に設置されている。図示は省略するが、本実施形態の照明装置３は、ドア幅方向において閉じた状態のドア１の凹凸模様１９と同じ位置に設置されている。
【００４０】
ドア１が閉じているときに、天井４２に設置された照明装置３から光が照射されると、この光によって凹凸模様１９が明るく照らされる。この場合、照明装置３から出た光は、図４Ａに示すように凹凸模様１９に斜め上方から当たるため、各凹溝２１には上側の突条２０によって光が遮られることによる陰影が現れる。このため、凹凸模様１９は立体的に見えやすくなる。
【００４１】
また、本実施形態においては、図２に示すように、凹凸模様１９に隣接する、各縦框１２，１３の表面が、平坦な平面部１７，１８で構成されており、これら平面部１７，１８には照明装置３による陰影ができにくい。このため、凹凸模様１９に現れる陰影が目立ちやすくなり、凹凸模様１９は一層立体的に見えやすい。
【００４２】
また、本実施形態の凹凸模様１９は、図４Ａに示すように、各突条２０の頂部が尖形であり、各凹溝２１の断面形状が弧状である。このため、各凹溝２１においては、図４Ｂに示すように、上端に近い部分ほど突条２０による陰影が現れやすく、下端に近い部分ほど明るく照らされる。
【００４３】
例えば、図６Ａに示す比較例のように、凹凸模様１９の断面形状が波形であって、各突条２０の先端が丸まっていると、各凹溝２１においては、図６Ｂに示すように、溝幅方向（上下方向）の中間部が最も暗くなり、溝幅方向の両端に近い部分ほど明るくなる。この場合、複数の凹溝２１で反射した光の明るさは、連続的に変化する。また、各凹溝２１においては、溝幅方向において明るさの変化が急峻になる。
【００４４】
これに対して、本実施形態の凹凸模様１９で反射した光の明るさは、図４Ｂに示すように、各突条２０の稜線２２を境にして急激に変化するため、凹凸模様１９の立体感が強調される。また、本実施形態の各凹溝２１における溝幅方向における明るさの変化が緩やかになり、各凹溝２１には上下に長いグラデーションが現れる。
【００４５】
上述したように稜線２２を境に明るさを急激に変化させつつ、各凹溝２１の溝幅方向における明るさを緩やかに変化させるには、各凹溝２１の溝幅ｂを５ｍｍ以上２０ｍｍ以下とし、各凹溝２１の溝深さｄを０．１ｍｍ以上１．０ｍｍ以下とすることが好ましい。また、各凹溝２１の溝幅ｂを８ｍｍ以上１７ｍｍ以下とし、各凹溝２１の溝深さｄを０．４ｍｍ以上０．６ｍｍ以下とすることがより好ましい。
【００４６】
また、凹凸模様１９に現れる陰影を目立たせるには、照明装置３を構成する集光型ダウンライトの１／２ビーム角が、１２°以上４０°以下（挟角〜広角）であることが好ましく、１２°以上２５°以下（挟角〜中角）であることがより好ましい。また、特に集光型ダウンライトの１／２ビーム角が、１２°以上１６°以下（挟角）であれば、凹凸模様１９に現れる陰影が際立つ。
【００４７】
ここで、「１／２ビーム角」は、光度が中心光度の１／２となる光の広がり角度であり、詳しくは、照明装置３から出た光が最大光度を示す方向（光軸方向）と、最大光度の１／２の光度を示す方向とのなす角度の２倍の角度である。
【００４８】
また、本実施形態の各凹溝２１は、溝幅ｂ及び溝深さｄが長手方向において変化しているため、凹凸模様１９に現れる陰影が単調になり難く、高い演出効果が得られる。
【００４９】
また、照明装置３は、ドア１を閉じた状態において、図１に示すようにドア幅方向に見たときに、ドア表面１５から水平方向に１００ｍｍ以上４００ｍｍ以下の距離Ｌだけ離れた位置から、鉛直下方に向けて光を照射するように構成されることが好ましい。
【００５０】
この場合、凹凸模様１９を明るく照らしながら、各凹溝２１の上端に近い部分において陰影を作り出すことができ、凹凸模様１９に現れる陰影を一層際立たせることができる。ここで、「鉛直下方に向けて光を照射する」とは、照明装置３の光軸ａ（照明装置３から照射される光の中心軸）が鉛直であって、照明装置３から下向きに光が照射されることをいう。また、距離Ｌは，１００ｍｍ以上２００ｍｍ以下であることがより好ましい。
【００５１】
また、本実施形態のドア１の照明構造にあっては、ドア１が開閉される過程においても、天井４２に設置された照明装置３から照射された光が、凹凸模様１９に当たる。このため、凹凸模様１９に現れる陰影は、ドア１の開き角度に応じて徐々に移り変わり、ドア表面１５の表情が刻々と変化する。
【００５２】
また、ドア１が開いた状態では、照明装置３から照射された光によってドア１付近の床４５が照らされ、この場合、照明装置３は開口部４３を象徴的に演出する足元灯として利用される。
【００５３】
（補足）
なお、本実施形態のドア１の照明構造及びドア１は、適宜設計変更可能である。
【００５４】
例えば、照明装置３は、光軸が下方ほどドア１に近づくように鉛直方向に対して傾斜した状態で設置されてもよい。また、照明装置３の設置位置は、適宜変更可能である。また、照明装置は、拡散型ダウンライトであってもよい。また、照明装置３は、天井４２に埋め込まれない状態で天井面に取り付けられてもよい。
【００５５】
また、照明装置３は、照射する光の向きを変更できる照明装置であってもよいし、変更できない照明装置であってもよい。
【００５６】
また、凹凸模様１９は本実施形態の凹凸模様１９に限られない。例えば、木目模様２３は、木目がドア幅方向に沿った模様であってもよい。また、凹凸模様１９は木目模様２３を備えなくてもよい。
【００５７】
また、各凹溝２１の溝幅ｂ又は溝深さｄは、凹溝２１の長手方向において一様であってもよい。
【００５８】
また、各突条２０の頂部は、例えば図６Ａに示すように、突条２０の長手方向と直交する断面形状が非尖形であってもよい。また、凹凸模様１９は、図７Ａに示すように、上下方向に延びた突条２０と上下方向に延びた凹溝２１とがドア幅方向に交互に形成された模様であってもよい。
【００５９】
また、凹凸模様１９の各凹溝２１には、図７Ｂに示すように、凹溝２１の長手方向と直交する方向に延びて、凹溝２１を長手方向における複数の領域に区切る突条２５が形成されてもよい。
【００６０】
また、凹凸模様１９は、図７Ｃに示すように、鋸目状の凹溝２１が間隔を介して複数並べて形成された模様であってもよい。
【００６１】
また、本実施形態の凹凸模様１９は、ドア表面１５の上下方向の全長に亘って形成されているが、上下方向の一部にのみ形成されていてもよい。
【００６２】
また、凹凸模様１９は、ドア表面１５において、ドア幅方向の中央からずれた位置に形成されてもよいし、ドア幅方向の端部に形成されてもよい。すなわち、凹凸模様１９はドア表面１５のドア幅方向に部分的に形成されていればよい。
【００６３】
また、ドア１は天井４２よりも背が低いドアであってもよく、この場合、開口部４３の上方には壁が位置する。また、ドア１は引き戸であってもよい。また、ドア１によって開閉される開口部４３は、部屋の出入口に限られず、例えば、建物の出入口であってもよい。
【００６４】
（効果）
前記実施形態のドア１の照明構造は、以下に示す特徴を有している。ドア１の照明構造は、ドア１と、照明装置３とを備える。ドア１は、ドア表面１５において上下方向に延びた領域に亘り、かつドア幅方向において部分的に形成された凹凸模様１９を備える。照明装置３は天井４２に設けられ、凹凸模様１９に光を照射するように構成される。以下、この特徴を有する照明構造を第１の態様の照明構造という。
【００６５】
第１の態様の照明構造にあっては、照明装置３から出た光が、凹凸模様１９に斜め上方から当たることで、ドア表面１５において上下方向に延びた凹凸模様１９に陰影が現れる。この陰影は、ドア表面１５において凹凸模様１９が形成されたドア幅方向の一部であるため、凹凸模様１９の立体感が強調される。また、ドア１が開閉される過程において、照明装置３から照射された光が、凹凸模様１９に当たった場合には、凹凸模様１９に現れる陰影が、ドア１の開き度合に応じて徐々に移り変わり、ドア表面１５の表情が変化する。このため、天井４２に設けられた照明装置３によって、ドア１を効果的に演出することができる。
【００６６】
また、前記実施形態のドア１の照明構造は、第１の態様の照明構造において、以下に示す付加的な特徴を有している。凹凸模様１９は、ドア幅方向に延びた突条２０とドア幅方向に延びた凹溝２１とが上下方向に交互に形成された模様である。以下、この照明構造を第２の態様の照明構造という。
【００６７】
第２の態様の照明構造にあっては、照明装置３から出た光が、凹凸模様１９に斜め上方から当たったとき、凹溝２１には上側の突条２０によって光が遮られることによる陰影が現れる。このため、凹凸模様１９の立体感を強調することができる。
【００６８】
また、前記実施形態のドア１の照明構造は、第２の態様の照明構造において、以下に示す付加的な特徴を有している。照明装置３は、ダウンライトであって、ドア１が閉じた状態において、ドア幅方向に見てドア表面１５から水平方向に１００ｍｍ以上４００ｍｍ以下の距離Ｌだけ離れた位置から、鉛直下方に向けて光を照射するように構成される。以下、この照明構造を第３の態様の照明構造という。
【００６９】
第３の態様の照明構造にあっては、凹凸模様１９が明るく照らされやすくなり、また、各凹溝２１の上端に近い部分において陰影が現れやすくなる。このため、凹凸模様１９に現れる陰影を一層際立たせて立体感を強調することができる。
【００７０】
また、前記実施形態のドア１の照明構造は、第２又は第３の態様の照明構造において、以下に示す付加的な特徴を有している。突条２０は、突条２０の長手方向と直交する断面において先端が尖った頂部を備える。凹凸模様１９は、前記先端で構成された稜線２２を介して隣接する複数の凹溝２１を備える。複数の凹溝２１の各々は、長手方向と直交する断面形状が弧状である。以下、この照明構造を第４の態様の照明構造という。
【００７１】
第４の態様の照明構造では、複数の凹溝２１で反射した光の明るさが、突条２０の稜線２２を境にして急激に変化するため、凹凸模様１９の立体感が強調される。また、各凹溝２１においては、溝幅方向における明るさの変化が緩やかになり、上下に長いグラデーションが現れて演出効果が高まる。
【００７２】
また、前記実施形態のドア１の照明構造は、第４の態様の照明構造において、以下に示す付加的な特徴を有している。凹溝２１の溝幅ｂが、５ｍｍ以上２０ｍｍ以下である。凹溝２１の溝深さｄが、０．１ｍｍ以上１．０ｍｍ以下である。以下、この照明構造を第５の態様の照明構造という。
【００７３】
第５の態様の照明構造にあっては、稜線２２を境にした明るさの急激な変化が生じやすく、また、凹溝２１の溝幅方向における明るさの変化が緩やかになりやすい。
【００７４】
また、前記実施形態のドア１の照明構造は、第２〜第５のいずれかの態様の照明構造において、以下に示す付加的な特徴を有している。凹溝２１の溝幅ｂは、凹溝２１の長手方向において連続的に変化する。以下、この照明構造を第６の態様の照明構造という。
【００７５】
第６の態様の照明構造にあっては、凹凸模様１９に現れる陰影が単調になり難く、高い演出効果が得られる。
【００７６】
また、前記実施形態のドア１の照明構造は、第２〜第６のいずれかの態様の照明構造において、以下に示す付加的な特徴を有している。凹凸模様１９は、木目２４が上下方向に沿った木目模様２３を備える。以下、この照明構造を第７の態様の照明構造という。
【００７７】
第７の態様の照明構造にあっては、突条２０が、木目模様２３の木目２４と略直交して目立ちやすくなる。このため、凹凸模様１９は、木目模様２３による木質の外観を備えながら、凹凸形状による模様が際立ちやすい外観となり、照明装置３による照明と相まって、高い演出効果を得ることができる。
【００７８】
また、前記実施形態のドア１の照明構造は、第１〜第７のいずれかの態様の照明構造において、以下に示す付加的な特徴を有している。凹凸模様１９はドア表面１５のドア幅方向の中間部において上下方向の全長に亘って形成される。ドア表面１５は、ドア幅方向において凹凸模様１９の両側に位置し、凹凸模様１９に隣接した一対の平面部１７，１８を備える。以下、この照明構造を第８の態様の照明構造という。
【００７９】
第８の態様の照明構造にあっては、照明装置３から照射された光が、ドア表面１５に当たったときには、凹凸模様１９においては陰影が現れやすく、かつ平面部１７，１８においては明るく照らされて陰影が現れにくい。このため、凹凸模様１９は、一層立体的に見えやすくなる。
【００８０】
また、前記実施形態のドア１の照明構造は、第１〜第８のいずれかの態様の照明構造において、以下に示す付加的な特徴を有している。ドア１は床４５から天井４２にまで亘る高さを有し、ドア１を介して隣接する室４０，４１の天井面同士が一面となって連続する。以下、この照明構造を第９の態様の照明構造という。
【００８１】
第９の態様の照明構造にあっては、ドア１が開いた状態における室４０，４１の開放感が増し、また、このように開放感のある室４０，４１を照明装置３によって演出することができる。
【００８２】
また、前記実施形態のドア１は、以下に示す特徴を有している。ドア１は、ドア表面１５において上下方向の全長に亘り、ドア幅方向の中間部に部分的に形成された凹凸模様１９を備える。凹凸模様１９は、ドア幅方向に延びた凹溝２１とドア幅方向に延びた突条２０とが上下方向に交互に形成された模様である。突条２０は、突条２０の長手方向と直交する断面において先端が尖った頂部を備える。凹凸模様１９は、凹溝２１として、前記先端で構成された稜線２２を介して隣接する複数の凹溝２１を備える。複数の凹溝２１の各々は、長手方向と直交する断面形状が弧状である。凹溝２１の溝幅ｂは、凹溝２１の長手方向において連続的に変化している。以下、このドア１を第１の態様のドア１という。
【００８３】
第１の態様のドア１にあっては、天井４２に設けられた照明装置３から凹凸模様１９に光が照射されたとき、凹凸模様１９における凹溝２１に、上側の突条２０によって光が遮られることによる陰影が現れる。また、この場合、複数の凹溝２１で反射した光の明るさは、突条２０の稜線２２を境にして急激に変化し、凹凸模様１９の立体感が強調される。また、凹溝２１の溝幅ｂは凹溝２１の長手方向において連続的に変化するため、凹凸模様１９に現れる陰影は単調になり難い。また、ドア１が開閉される過程において、照明装置３から照射された光が、凹凸模様１９に当たった場合には、凹凸模様１９に現れる陰影が、ドア１の開き度合に応じて徐々に移り変わり、ドア表面１５の表情が刻々と変化する。このため、天井４２に設けられた照明装置３によって、ドア１を効果的に演出することができる。
【００８４】
また、前記実施形態のドア１は、第１の態様のドア１において、以下に示す付加的な特徴を有している。ドア表面１５は、ドア幅方向において凹凸模様１９の両側に位置し、凹凸模様１９に隣接した一対の平面部１７，１８を備える。以下、このドア１を第２の態様のドア１という。
【００８５】
第２の態様のドア１にあっては、天井４２に設けられた照明装置３から照射された光が、ドア表面１５に当たったときには、凹凸模様１９において陰影ができやすく、かつ平面部１７，１８においては陰影ができにくくなる。このため、凹凸模様１９は、一層立体的に見えやすくなる。
【００８６】
また、前記実施形態のドア１は、第１又は第２の態様のドア１において、以下に示す付加的な特徴を有している。凹凸模様１９は、木目２４が上下方向に沿った木目模様２３を備える。以下、このドア１を第３の態様のドア１という。
【００８７】
第３の態様のドア１にあっては、突条２０が、木目模様２３の木目２４と略直交して目立ちやすくなり、凹凸模様１９は、木目模様２３による木質の外観を備えながら、凹凸形状による模様が際立って見えやすい外観となる。このため、照明装置３による照明と相まって、高い演出効果を得ることができる。
【符号の説明】
【００８８】
１  ドア
１５  ドア表面
１７  平面部
１８  平面部
１９  凹凸模様
２０  突条
２１  凹溝
２２  稜線
２３  木目模様
２４  木目
３  照明装置
４０  室
４１  室
４２  天井
４５  床
ｂ  凹溝の溝幅
ｄ  凹溝の溝深さ
Ｌ  距離
【図１】
2018142523.tif 000003
【図２】
2018142523.tif 000004
【図３】
2018142523.tif 000005
【図４】
2018142523.tif 000006
【図５】
2018142523.tif 000007
【図６】
2018142523.tif 000008
【図７】
2018142523.tif 000009